(57)【要約】      （修正有）【課題】贈答品としてのインパクトを高くすることができるカード送付体を提供する。【解決手段】第１の図柄又は文字２１が印刷されたカード２と、窓部３１aを有し、第２の図柄又は文字３１ｂが印刷された表紙部３１と、裏紙部と、カード２を収容する収容部を有し、表紙部３１と裏紙部で挟まれるように位置する第１の中紙部と、を有するカード送付体本体３と、を備えるカード送付体１であって、裏紙部には、窓部３１aに対応する位置に第１の図柄又は文字２１と関係する第３の図柄が印刷されており、カード２を収容部から取外した際に、第３の図柄が窓部３１aから露出することを特徴とするカード送付体１。【選択図】図１
2019059062.tif 000002
【特許請求の範囲】
【請求項１】
内容を表す第１の図柄又は文字が印刷されたカードと、
前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、
前記裏紙部には、前記窓部に対応する位置に前記第１の図柄又は文字と関係する第３の図柄が印刷されており、前記カードを前記収容部から取外した際に、前記第３の図柄が前記窓部から露出することを特徴とするカード送付体。
【請求項２】
前記裏紙部には、前記収容部に収容された前記カードを取り出す取出し口と、前記取出し口を剥離可能に封止する封止部とが形成されており、
前記第１の中紙部には、前記取出し口と重なる位置に、前記第１の図柄又は文字と関係する前記第４の図柄が印刷された取出し口装飾部が形成されており、
前記取出し口装飾部は、前記封止部を剥離した際に、前記取出し口から露出することを特徴とする請求項１に記載のカード送付体。
【請求項３】
前記カード送付体は、さらに、前記収容部と対応して切り抜かれた第１の切り抜き部と、前記第１の切り抜き部の内側から突出し、前記第１の図柄又は文字と関係する第５の図柄が印刷された第１の突出部と、が形成されており、前記第１の中紙部と前記裏紙部の間に位置する第２の中紙部を有し、
前記第１の突出部は、前記収容部に収容された前記カードを押圧するとともに、前記窓部から露出することを特徴とする請求項１又は２に記載のカード送付体。
【発明の詳細な説明】
【技術分野】
【０００１】
本発明は、カードを送る際に用いるカード送付体に関する。
【背景技術】
【０００２】
カード送付体は、一般的に映画観賞用カード、図書カード、音楽ギフトカード、テレホンカード、キャッシュカード、コンサートチケット、スポーツ観戦チケット、美術鑑賞チケットなどのカード（以下、カードと言う。）と、カードを取付けるカードケースとを有するものである。カード送付体は、カードケースにも受取人へのメッセージを記入することができるため、単にカードを手渡すよりも贈答品としての価値が高く、近年鋭意研究されている。
【０００３】
例えば、特許文献１（従来例）には、カードケース本体１２０の落とし込み用開口部１２０Ｂ１内にふみカード用貼付け面１２０Ａ１を形成し、このふみカード用貼付け面１２０Ａ１にふみカード１３０を着脱自在に貼り付けたカードケース１００が開示されている。このカードケース１００におけるカードケース本体１２０の表紙１２０Ｂの第２表示１２０Ｂ２は、ふみカード１３０の第３表示１３０Ａと関連ある図形を図示しており、記念に飾って保管するのに適した構成となっている。
【先行技術文献】
【特許文献】
【０００４】
【特許文献１】実用新案登録第３０７４９２４号
【発明の概要】
【発明が解決しようとする課題】
【０００５】
しかし、特許文献１に開示されたカードケース１００は、カード用貼付け面１２０Ａ１に図示された第１表示１２０Ａ１１が、ふみカード１３０の第３表示１３０Ａと同じ図柄であるため、ふみカード１３０を取外した際に受取人へ驚きを与えることができなく、贈答品としてのインパクトが低い問題があった。
【０００６】
本発明は、上述した事情に鑑みてなされるものであって、カードを収容部から取外した際に、カードに図示された第１の図柄又は文字と関係する第３の図柄を窓部から露出することで、受取人へ新たな驚きを与え、贈答品としてのインパクトを高くすることができるカード送付体を提供することを目的とする。
【課題を解決するための手段】
【０００７】
上記課題を解決するためになされた請求項１に記載の発明は、内容を表す第１の図柄又は文字が印刷されたカードと、前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、前記裏紙部には、前記窓部に対応する位置に前記第１の図柄又は文字と関係する第３の図柄が印刷されており、前記カードを前記収容部から取外した際に、前記第３の図柄が前記窓部から露出することを特徴とする。
【０００８】
請求項１に記載の発明によれば、カードを収容部から取外した際に、カードに図示された第１の図柄又は文字と関係する第３の図柄を窓部から露出することで、受取人へ新たな驚きを与え、贈答品としてのインパクトを高くすることができる。
【０００９】
請求項２に記載の発明は、請求項１に記載のカード送付体であって、前記裏紙部には、前記収容部に収容された前記カードを取り出す取出し口と、前記取出し口を剥離可能に封止する封止部とが形成されており、前記第１の中紙部には、前記取出し口と重なる位置に、前記第１の図柄又は文字と関係する前記第４の図柄が印刷された取出し口装飾部が形成されており、前記取出し口装飾部は、前記封止部を剥離した際に、前記取出し口から露出することを特徴とする。
【００１０】
請求項２に記載の発明によれば、封止部を取出し口から剥離した際に第４の図柄が取出し口から露出することで、受取人にカードへの期待感を増大させるとともに新たな驚きを与えることができる。
【００１１】
請求項３に記載の発明は、請求項１又は２に記載のカード送付体であって、前記カード送付体は、さらに、前記収容部に対応して切り抜かれた第１の切り抜き部と、前記第１の切り抜き部の内側から突出し、前記第１の図柄又は文字と関係する第５の図柄が印刷された第１の突出部と、が形成されており、前記第１の中紙部と前記裏紙部の間に位置する第２の中紙部を有し、前記第１の突出部は、前記収容部に収容された前記カードを押圧するとともに、前記窓部から露出することを特徴とする。
【００１２】
請求項３に記載の発明によれば、第１の突出部で収容部に収容されたカードを付勢することで、郵送中にカードがずれることを防止することができる。また、第１の突出部をカードと関係する第５の図柄を印刷することで、受取人にカードの内容をより分かりやすく伝達することができる。
【発明の効果】
【００１３】
本発明は、上述した事情に鑑みてなされるものであって、カードを収容部から取外した際に、カードに図示された第１の図柄又は文字と関係する第３の図柄を窓部から露出させることで、受取人へ新たな驚きを与え、贈答品としてのインパクトを高くすることができるカード送付体を提供することができる。
【図面の簡単な説明】
【００１４】
【図１】第１実施例のカード送付体の正面図である。
【図２】図１のカード送付体の背面図である。
【図３】図１のカード送付体において封止部を剥離させた状態の背面図である。
【図４】図１のカードの正面図である。
【図５】図１のカード送付体本体の正面図である。
【図６】図５のカード送付体本体を展開した展開図である。
【図７】図６のカード送付体本体の裏側を示す展開図である。
【図８】図５のカード送付体本体において表紙部のみを展開した展開図である。
【図９】図８の収容部にカードを収容し、剥離紙を剥離させた状態を示す展開図である。
【図１０】図１のカード送付体の送付方法を示すフローチャートである。
【図１１】第２実施例のカード送付体の正面図である。
【図１２】図１１のカード送付体本体の正面図である。
【図１３】図１２のカード送付体本体を展開した展開図である。
【図１４】図１３のカード送付体本体の裏側を示す展開図である。
【図１５】図１１のカード送付体において表紙部のみを展開した展開図である。
【図１６】図１５の収容部からカードを取外した状態を示す展開図である。
【図１７】第３実施例のカード送付体の正面図である。
【図１８】図１７のカード送付体本体の正面図である。
【図１９】図１８のカード送付体本体を展開した展開図である。
【図２０】図１９のカード送付体本体の裏側を示す展開図である。
【図２１】第４実施例のカード送付体入り封筒の正面図である。
【図２２】図２１における封筒の正面図である。
【図２３】従来例のシークレット葉書の分解斜視図である。
【発明を実施するための形態】
【００１５】
（第１実施例）
以下、図面を参照して、本発明の第１実施例に係るカード送付体１について説明する。
【００１６】
図１は第１実施例のカード送付体１の正面図であり、図２は図１のカード送付体１の背面図であり、図３は図１のカード送付体１において封止部３３ｇを剥離させた状態の背面図であり、図４は図１のカード２の正面図であり、図５は図１のカード送付体本体３の正面図であり、図６は図５のカード送付体本体３を展開した展開図であり、図７は図６のカード送付体本体３の裏側を示す展開図である。
なお、カード送付体本体３の幅方向をＸ軸、カード送付体本体３の高さ方向をＹ軸、カード送付体本体３の厚み方向をＺ軸とする。
【００１７】
図１、２、６および７で示すように、引用符号１は、本実施例のカード送付体１である。カード送付体１は、内容を表すカード側の図柄又は文字（第１の図柄又は文字）２１が印刷されたカード２と、カード２を収容する第１の中紙部３２を表紙部３１と裏紙部３３とで挟んだカード送付体本体３と、を備える。
【００１８】
カード２は、図４で示すように、例えば５４ｍｍ×８６ｍｍの矩形状をしたものであり、例えば映画観賞用カード、図書カード、音楽ギフトカード、テレホンカード、キャッシュカード、コンサートチケット、スポーツ観戦チケット、美術鑑賞チケットなどである。カード２の表面には、カード２の内容を表すカード側の図柄又は文字２１と、カード情報が埋め込まれたバーコード部２２と、が印刷されている。バーコード部２２には、受取人の名前や住所などの個人情報が埋め込まれており、バーコードリーダ等で読み取ることで、カード２が本物か否か判別できるように形成されている。
【００１９】
カード送付体本体３は、図６および７で示すように、長方形状のシートであり、長手方向と直交する方向に延びる第１の折目線３４と第２の折目線３５とで、シートを表紙部３１、第１の中紙部３２および裏紙部３３とに区切っている。
【００２０】
図１、２、６および７で示すように、カード送付体本体３は、第１の折目線３４で表紙部３１と第１の中紙部３２を山折りにし、第２の折目線３５で第１の中紙部３２と裏紙部３３を谷折りにすることで、表紙部３１の表側がカード送付体１の表面となり、裏紙部３３の裏側がカード送付体１の裏面となるように形成されている。
【００２１】
図１および３で示すように、カード送付体本体３は、第１の折目線３４および第２の折目線３５で折り畳むことで、ポストカードなどの郵送可能な大きさとなる。このカード送付体本体３の裏面（裏紙部３３の裏面）には、受取人の宛名情報を記入する宛名情報記入部３３ａと、差出人の氏名や住所など記入する差出人情報記入部３３ｂと、受取人へのメッセージを記入するメッセージ欄３３ｃと、が形成されている。
【００２２】
表紙部３１は、図６および７で示すように、カード側の図柄又は文字２１を露出する窓部３１ａが形成されている。窓部３１ａは、例えば円形状に切り抜かれており、表面は例えばプラスチックフィルムで覆われている。また、表紙部３１の表側には、窓部３１ａと並ぶように位置し、カード側の図柄又は文字２１と関係する表紙側の図柄又は文字（第２の図柄又は文字）３１ｂが印刷されている。
【００２３】
第１の中紙部３２は、図６および７で示すように、窓部３１ａと対応して位置し、カード２を収容する収容部３２ａと、収容部３２ａの横側であり、後述の取出し口３３ｅと重なるように位置する取出し口装飾部３２ｂとが形成されている。取出し口装飾部３２ｂは、カード側の図柄又は文字２１と関係し、後述の封止部表側の図柄３３ｈおよび封止部裏側の図柄３３ｉと異なる模様の第４の図柄が印刷されている。
【００２４】
図６および７で示すように、収容部３２ａは、カード２を収容可能な大きさで切り抜かれている。収容部３２ａの裏側の外周には、窓部３１ａと対応する大きさで、カード２を装飾するカード側装飾部３２ｃが形成されている。カード側装飾部３２ｃは、窓部３１ａから露出して、収容部３２ａに収容されたカード２を装飾する。
【００２５】
第１の中紙部３２の裏側は、図７で示すように、外周およびカード側装飾部３２ｃに沿うように両面テープなどの接着部３２ｄが形成されている。接着部３２ｄには、剥離紙３２eが付着しており、この剥離紙３２eを剥がすことで接着するように形成されている。
【００２６】
裏紙部３３の表側には、図６および７で示すように、窓部３１ａと対応する位置に、カード側の図柄又は文字２１と関係する裏紙側の図柄（第３の図柄）３３ｄと、裏紙側の図柄３３dの横側であり、収容部３２ａに収容されたカード２の取り出し口となる取出し口３３ｅと、が形成されている。
【００２７】
図５および６で示すように、裏紙側の図柄３３ｄの付近には、カード２と関係する情報がアップロードされたサイトへのアクセス情報が埋め込まれたＱＲコード（登録商標）３３ｆが形成されている。このＱＲコード（登録商標）３３ｆを読取ることで、カード２の内容に関係した動画や音声などをアップロードしたサイトへアクセスすることができる。
【００２８】
図６および７で示すように、取出し口３３ｅは、封止部３３ｇで剥離可能に封止されている。この封止部３３ｇの表面および裏面には、カード側装飾部３２ｃと同じ輪郭の図柄（封止部表側の図柄３３ｈおよび封止部裏側の図柄３３ｉ）が印刷されており、この封止部表側の図柄３３ｈおよび封止部裏側の図柄３３ｉは、互いに異なる模様で印刷されている。
【００２９】
ここで、カード２が、図４で示すように、国際競技大会のサッカーチケットであった場合について具体的に説明する。
【００３０】
カード側の図柄又は文字２１は、図４で示すように、カード２の内容（国際競技大会のサッカーチケット）である「国際競技大会」、「サッカーの開始時刻や場所」などの文字や「サッカー選手のイラスト」、国際競技大会のロゴマーク「○○○」などの図形が印刷されている。また、バーコード部２２には、受取人の名前や住所などの個人情報が埋め込まれている。
【００３１】
これに対応して、表紙側の図柄又は文字３１ｂにも、図１で示すように、「第３回  国際競技大会  Ｉｎ  ＪＡＰＡＮ」、「国際競技大会の開催日」などの文字や国際競技大会のロゴである「○○○」などが図示されている。
【００３２】
裏紙側の図柄３３ｄには、図６および７で示すように、国際競技大会の競技種目である「空手の対極」が図示されている。取出し口装飾部３２ｂおよび剥離部３２ｅの表裏面も、国際競技大会の開催地である東京を代表する「スカイツリー」などが印刷されている。この取出し口装飾部３２ｂ、封止部表側の図柄３３ｈおよび封止部裏側の図柄３３ｉには、互いに異なる模様が印刷されている。
【００３３】
また、ＱＲコード（登録商標）３３ｆには、国際競技大会に関係する情報（例えば、カード２に関係した選手のインタビューや試合中の写真などをアップロードしたサイトへのアクセス情報）などが埋め込まれている。
【００３４】
このように、本実施例のカード送付体１は、表紙側の図柄又は文字３１ｂをカード側の図柄又は文字２１（国際競技大会のサッカーのイラスト等）と関係する図柄又は文字とすることで、受取人へカード２の内容を簡単に伝達することができる。また、表紙側の図柄又は文字３１ｂをカード２側の図柄又は文字２１と関係するものにすることで、カード２と組み合わさることで統一感のある新たなデザインを創出することもできる。
【００３５】
本実施例のカード送付体１は、裏紙側の図柄３３ｄもカード側の図柄又は文字２１と関係し、表紙側の図柄又は文字３１ｂと異なる図柄とすることで、収容部３２ａからカード２を抜き取った際に、今までとは異なる裏紙側の図柄３３ｄが窓部３１ａから露出し、受取人へ新たな驚きを与え、受取人へ贈答品としてのインパクトを与えることができる。
【００３６】
本実施例のカード送付体１は、裏紙側の図柄３３ｄもカード側の図柄又は文字２１と関係する図柄にすることで、カード２を使用した後においても、裏紙側の図柄３３ｄが窓部３１ａから露出し、全体として統一感のある新たなデザインを創出し、室内等に展示ずれば思い出を振り返ることができる。
【００３７】
このように本実施例のカード送付体１は、カード２の送付時（収容部３２ａ内にカード２を収容した状態）もカード２の使用時（収容部３２ａからカード２を取外した状態）のいずれにおいても、表紙側の図柄又は文字３１ｂと関係する、カード側の図柄又は文字２１若しくは裏紙側の図柄３３ｄが、窓部３１ａから露出することで、全体として統一感のあるデザインを創出することができる。
【００３８】
本実施例のカード送付体１は、封止部３３ｇにもカード側の図柄又は文字２１と関係する図柄を印刷することで、受取人が封止部３３ｇを剥離する際に収容部３２ａ内のカード２に対する期待感を増大させることができる。
【００３９】
また、本実施例のカード送付体１は、封止部表側の図柄３３ｈおよび封止部裏側の図柄３３ｉを異なる模様の図柄とすることで、受取人が封止部３３ｇを剥離する際に新たな驚きを与えることができる。
【００４０】
さらに、本実施例のカード送付体１は、封止部３３ｇを剥離した際に、封止部３３ｇに印刷された図柄と異なる図柄の取出し口装飾部３２ｂが取出し口３３ｅから露出することで、受取人へ更なる驚きを与えることができる。
【００４１】
次に、本実施例のカード送付体１の送付方法について説明する。初期条件として、図８で示すように、裏紙部３３の表面と第１の中紙部３２の表面とが接着剤等で接着されており、第１の中紙部３２の外周およびカード側装飾部３２ｃに沿うように接着部３２ｄおよび剥離紙３２eが形成されているものとする。
【００４２】
図８は図５のカード送付体本体３において表紙部３１のみを展開した展開図であり、図９は図８の収容部にカードを収容し、剥離紙３２eを剥離させた状態を示す展開図であり、図１０は図１のカード送付体１の送付方法を示すフローチャートである。
【００４３】
まず、差出人は、図８および１０で示すように、表紙部３１と第１の中紙部３２を開いた状態で載置する（ＳＴＥＰ１、２）。差出人は、図９で示すように、載置した第１の中紙部３２に形成された収容部３２ａにカード２を収容する（ＳＴＥＰ３）。
【００４４】
差出人は、図９で示すように、第１の中紙部３２の表側における剥離紙３２aを剥がし、表紙部３１を第１の中紙部３２に貼り合せる（ＳＴＥＰ４）。表紙部３１と第１の中紙部３２を貼り合せた後、宛名情報記入部３３ａ、差出人情報記入部３３ｂおよびメッセージ欄３３ｃにあて先、差出人情報およびメッセージを記入する（ＳＴＥＰ５）。差出人は、宛名情報記入部３３ａ、差出人情報記入部３３ｂおよびメッセージ欄３３ｃへ記入後、郵便窓口又はポストへ投函し、郵送作業を終了する（ＳＴＥＰ６、７）。
【００４５】
本実施例のカード送付体１は、差出人は、単に収容部３２ａにカード２を収容し、剥離紙３２aを剥がして表紙部３１と第１の中紙部３２を貼り合せるだけで、カード２をカード送付体１内へ簡単に収容することができる。
【００４６】
また、本実施例のカード送付体１は、差出人自身で、カード２を収容部３２ａに収容して、第１の中紙部３２と表紙部３１を貼り合せるため、カード２がカード送付体１内に収容する過程で他の者に盗まれることを防止することができる。
【００４７】
（第２実施例）
本実施例のカード送付体１’は、第１の実施例とカード送付体本体３’の構成のみが異なるため、カード送付体本体３’のみについて説明する。但し、カード送付体本体３’における表紙部３１および裏紙部３３は、第１の実施例と同じ構成であるため、第１の実施例と同一符号を付し、説明を省略する。なお、座標軸は、第１実施例と同じとする。
【００４８】
図１１は第２実施例のカード送付体１’の正面図であり、図１２は図１１のカード送付体本体３’の正面図であり、図１３は図１２のカード送付体本体３’を展開した展開図であり、図１４は図１３のカード送付体本体３’の裏側を示す展開図であり、図１５は図１１のカード送付体１’において表紙部３１のみを展開した展開図であり、図１６は図１５の収容部３２aからカード２を取外した状態を示す展開図である。
【００４９】
カード送付体本体３’は、図１３および１４で示すように、長方形状のシートであり、長手方向と直交する方向に延びる第１の折目線３４、第２の折目線３５および第３の折目線３６とで、シートを表紙部３１、第１の中紙部３２’、第２の中紙部３７および裏紙部３３に区切っている。
【００５０】
図１２乃至１４で示すように、カード送付体本体３’は、第１の折目線３４で表紙部３１と第１の中紙部３２’を山折りにし、第３の折目線３６で第１の中紙部３２’と第２の中紙部３７を谷折りにし、第２の折目線３５で第２の中紙部３７と裏紙部３３を山折りにすることで、表紙部３１の表側がカード送付体１’の表面となり、裏紙部３３の裏側がカード送付体１’の裏面となるように形成されている。
【００５１】
図１１および１２で示すように、カード送付体本体３’は、第１の折目線３４、第２の折目線３５および第３の折目線３６で折り畳むことで、ポストカードなどの郵送な可能な大きさとなる。
【００５２】
第１の中紙部３２’は、図１３および１４で示すように、窓部３１ａと対応して位置し、カード２を収容可能な大きさで切り抜かれた収容部３２a’と、収容部３２a’の横側で、取出し口３３ｅと重なるように位置し、カード側の図柄又は文字２１と関係し、封止部３３ｇと異なる模様の第４の図柄が印刷された取出し口装飾部３２ｂ’とが形成されている。
【００５３】
この収容部３２a’の裏側の外周には、窓部３１ａと対応する大きさで、カード２を装飾するカード側装飾部３２ｃ’が形成されている。カード側装飾部３２ｃ’は、窓部３１ａから露出して、収容部３２a’に収容されたカード２を装飾する。
【００５４】
第１の中紙部３２’の裏側は、図１４で示すように、外周および取出し口装飾部３２ｂ’に沿うように接着部３２ｄ’が形成されている。接着部３２ｄ’には、剥離紙３２ｅ’が付着しており、この剥離紙３２ｅ’を剥離することで、接着可能に形成されている。
【００５５】
第２の中紙部３７は、図１３および１４で示すように、収容部３２a’に対応して切り抜かれた第１の切り抜き部３７ａと、第１の切り抜き部３７ａの内側から突出し、カード側の図柄又は文字２１と関係する第５の図柄が印刷された第１の突出部３７ｂが形成されている。第１の突出部３７ｂは、例えば第１の切り抜き部３７ａの上下から突出するように一対形成されており、カード２を挟み込むように付勢する。
【００５６】
この第２の中紙部３７は、裏紙部３３と第２の中紙部３７を山折りにし、第２の中紙部３７と第１の中紙部３２’を谷折りにすることで、図１５および１６で示すように、第１の中紙部３２’の下側に位置するように折り畳まれる。
【００５７】
このように、第２の中紙部３７が第１の中紙部３２’の下側に位置することで、収容部３２a’にカード２を収容した際に、図１５で示すように、第１の突出部３７ｂでカード２を付勢することができる。
【００５８】
ここで、本実施例においてもカード２が国際競技大会のチケットであった場合について説明する。第１の突出部３７ｂに印刷された第５の図柄は、国際競技大会の開催地である日本（カード側の図柄又は文字２１と関係する事項）を代表する「歌舞伎役者」や「富士山」などの図柄である。
【００５９】
取出し口装飾部３２ｂ’は、図１４で示すように、国際競技大会の開催地である東京を代表する「スカイツリー」などが図示されている。
【００６０】
このように、本実施例のカード送付体１’は、カード２を収容部３２a’内に付勢する第１の突出部３７ｂにも、カード側の図柄又は文字２１と関係する第５の図柄（例えば、「歌舞伎役者」や「富士山」などの図柄）を印刷することで、表紙側の図柄又は文字３１ｂおよびカード側の図柄又は文字２１と組み合わさることで、全体として統一感のある新たなデザインを創出することができる。
【００６１】
また、本実施例のカード送付体１’も、第１実施例と同様に、封止部３３ｇを剥離した際に、取出し口３３ｅから、封止部３３ｇとは異なる模様の図柄（第４の図柄）の取出し口装飾部３２ｂ’が露出することで、受取人に対してカード２への期待感を増大させることができる。
【００６２】
さらに、本実施例のカード送付体１’では、第１の突出部３７ｂがカード２を収容部３２a’内に付勢することで、郵送中にカード２がずれることを防止することができる。
【００６３】
（第３実施例）
本実施例のカード送付体１’’は、第２実施例とカード送付体本体３’’の構成のみが異なるため、カード送付体本体３’’のみについて説明する。但し、カード送付体本体３’’における表紙部３１および裏紙部３３は、第２実施例と同じ構成であるため、第２実施例と同一符号を付し、説明を省略する。なお、座標軸は、第１実施例と同じとする。
【００６４】
図１７は第３実施例のカード送付体１’’の正面図であり、図１８は図１７のカード送付体本体３’’の正面図であり、図１９は図１８のカード送付体本体３’’を展開した展開図であり、図２０は図１９のカード送付体本体３’’の裏側を示す展開図である。
【００６５】
カード送付体本体３’’は、図１９および２０で示すように、長方形状のシートであり、長手方向と直交する方向に延びる第１の折目線３４、第２の折目線３５、第３の折目線３６および第４の折目線３８とで、シートを表紙部３１、第１の中紙部３２’’、第２の中紙部３７’、第３の中紙部３９および裏紙部３３に区切っている。
【００６６】
図１７乃至２０で示すように、カード送付体本体３’’は、第１の折目線３４で表紙部３１と第１の中紙部３２’’を山折りにし、第３の折目線３６で第１の中紙部３２’’と第２の中紙部３７’を谷折りにし、第４の折目線３８で第２の中紙部３７’と第３の中紙部３９を山折りにし、第２の折目線３５で第３の中紙部３９と裏紙部３３を谷折りにすることで、表紙部３１の表側がカード送付体１’’の表面となり、裏紙部３３の裏側がカード送付体１’’の裏面となるように形成されている。
【００６７】
図１７および１８で示すように、カード送付体本体３’’は、第１の折目線３４、第２の折目線３５、第３の折目線３６および第４の折目線３８で折り畳むことで、ポストカードなどの郵送な可能な大きさとなる。
【００６８】
第１の中紙部３２’’は、図１９および２０で示すように、窓部３１ａと対応して位置し、カード２を収容可能な大きさで切り抜かれた収容部３２a’’と、収容部３２a’’の横側で、取出し口３３ｅと重なるように位置し、カード側の図柄又は文字２１と関係し、封止部３３ｇと異なる模様の第４の図柄が印刷された取出し口装飾部３２ｂ’’とが形成されている。収容部３２a’’の裏側の外周には、窓部３１ａと対応する大きさで、カード２を装飾するカード側装飾部３２ｃ’’が形成されている。カード側装飾部３２ｃ’’は、窓部３１ａから露出して、収容部３２a’’に収容されたカード２を装飾する。
【００６９】
第１の中紙部３２’’の裏側は、図２０で示すように、外周およびカード側装飾部３２ｃ’’に沿うように接着部３２d’’が形成されている。接着部３２d’’には、剥離紙３２ｅ’が付着しており、この剥離紙３２ｅ’’を剥離することで、接着可能に形成されている。
【００７０】
第２の中紙部３７’は、図１９および２０で示すように、収容部３２a’’と対応するように切り抜かれた第１の切り抜き部３７ａ’と、第１の切り抜き部３７ａ’の内側から突出し、カード側の図柄又は文字２１と関係する第５の図柄が印刷された第１の突出部３７ｂ’と、が形成されている。第１の突出部３７ｂ’は、例えば第１の切り抜き部３７ａ’の上下から突出するように一対形成されており、カード２を挟み込むように付勢する。
【００７１】
第３の中紙部３９は、図１８および１９で示すように、第１の切り抜き部３７ａ’および取出し口３３ｅを含む大きさで切り抜かれた第２の切り抜き部３９ａと、第２の切り抜き部３９ａの角を架け渡すように位置し、カード側の図柄又は文字２１と関係する第６の図柄が印刷された第２の突出部３９ｂとが形成されている。この第２の突出部３９ｂは、窓部３１ａから露出するように形成されている。
【００７２】
第２の切り抜き部３９ａは、図１８および１９で示すように、取出し口３３ｅを含む大きさで切り抜かれており、収容部３２a’’に収容されたカード２を取出し口３３ｅから取り出す際に第２の中紙部３７’および第３の中紙部３９が障害とならないように形成されている。
【００７３】
ここで、本実施例においてもカード２が国際競技大会のチケットであった場合について説明する。第１の突出部３７ｂ’に印刷された第５の図柄は、国際競技大会の開催地である日本（カード側の図柄又は文字２１と関係する事項）を代表する「歌舞伎役者」や「富士山」などの図柄である。また、第２の突出部３９ｂに印刷された第６の図柄は、国際競技大会の参加国である「各国の国旗」の図柄とする。
【００７４】
取出し口装飾部３２ｂ’’は、図１９で示すように、国際競技大会の開催地である東京を代表する「スカイツリー」などが図示されている。
【００７５】
本実施例のカード送付体１’’は、第１の突出部３７ｂ’に印刷された第５の図柄および第２の突出部３９ｂに印刷された第６の図柄をそれぞれ、カード側の図柄又は文字２１と関係する図柄（例えば、「歌舞伎役者」、「富士山」、「参加国の国旗」などの図柄）とすることで、カード２の内容をより受取人に簡単に把握させるとともに、カード２自体に興味を沸かせることができる。
【００７６】
また、本実施例のカード送付体１’’は、表紙部３１と裏紙部３３に挟まれた第２の中紙部３７’および第３の中紙部３９に、カード側の図柄又は文字２１と関係する第５の図柄の第１の突出部３７ｂ’および第６の図柄の第２の突出部３９ｂをそれぞれ形成することで、厚さ方向においても図柄を配置することができ、図柄の奥行き感を出すことができる。
【００７７】
さらに、本実施形態のカード送付体１’’は、収容部３２a’’の上下に形成された第１の突出部３７ｂ’および収容部３２a’’の角部に形成された第２の突出部３９ｂでカード２を抑えることで、よりカード２が動くことを防止することができる。
【００７８】
（第４実施例）
第４実施例のカード送付体入り封筒４は、第１の実施例のカード送付体１を封筒５内に収容しただけであるため、封筒５の構成のみについて説明し、その他の説明は省略する。なお、第１実施例のカード送付体１と同一構成については、第１実施例と同一符号を付し、座標軸も同じとする。
【００７９】
図２１は第４実施例のカード送付体入り封筒４の正面図であり、図２２は図２１における封筒５の正面図である。
【００８０】
封筒５は、図２１および２２で示すように、表面には、カード２を覆い、郵送先の宛名情報を記入する封筒側宛名情報記入部５１と、封筒側宛名情報記入部５１と並ぶように位置し、表紙側の図柄又は文字３１ｂの少なくとも一部を露出する封筒側窓部５３と、封筒５の上端を開閉するフラップ部５４とが形成されている。
【００８１】
図２１で示すように、封筒側宛名情報記入部５１の下側には、差出人の氏名や住所を記入する封筒側差出人情報記入部５２が形成されている。
【００８２】
封筒側窓部５３は、図２１および２２で示すように、表紙側の図柄又は文字３１ｂの少なくとも一部が露出されるように、封筒５を切り抜いており、表面は例えばプラスチックフィルムなどの透明なフィルムで覆われている。
【００８３】
この透明なフィルムには、図２２で示すように、カード側の図柄又は文字２１と関係する封筒側の図柄（第７の図柄）５３ａが印刷されている。
【００８４】
特に、封筒側の図柄５３ａは、例えば、表紙側の図柄又は文字３１ｂと重なる位置に形成されていると良い。この構成により、本実施例のカード送付体入り封筒４は、封筒５内にカード送付体１を収容した際に、表紙側の図柄又は文字３１ｂと組み合わさることで、新たなデザインを創出することができる。
【００８５】
フラップ部５４は、図２２で示すように、基端側に折込線５４ａが入っており、封筒５の裏面側に折り曲げ可能に形成されており、封筒５の上端開口部を開閉自在に形成されている。
【００８６】
ここで、本実施例においてもカードが国際競技大会のチケットであった場合について説明する。封筒側の図柄５３ａには、国際競技大会の競技種目である「バレーボール」、「サッカー」および「野球」等が図示されている。
【００８７】
この封筒側の図柄５３ａは、図２１で示すように、表紙側の図柄又は文字３１ｂである国際競技大会のロゴである「○○○」と重なる位置に形成されている。
【００８８】
本実施例のカード送付体入り封筒４は、封筒側の図柄５３ａを、表紙側の図柄又は文字３１ｂと重なる位置であり、かつ封筒側の図柄５３ａもカード側の図柄又は文字２１と関係する図柄とすることで、封筒５内にカード送付体１を入れた際に、全体として統一感のある新たなデザインを創出することができる。
【００８９】
また、本実施例のカード送付体入り封筒４は、封筒５内へカード送付体１を収納することで、封筒側窓部５３から表紙側の図柄又は文字３１ｂの少なくとも一部が露出するとともに、カード側の図柄又は文字２１を覆うことで、受取人への同封物に対する期待感を想起させるとともに、封筒５内に収納されたカード２の存在を隠すことができる。
【００９０】
さらに、本実施例のカード送付体入り封筒４は、カード２を封筒５で覆い隠しているため、外部から封筒５内にカード２が同封されていることを確認できないため、カード２目当てにカード送付体入り封筒４が盗まれることを防ぐことができる。
【００９１】
（他の実施例）
第１実施例、第２実施例および第３実施例のカード送付体本体３、３’、３’’において、表紙部３１と第１の中紙部３２、３２’３２’’とを接着する接着部３２ｄ、３２d’ 、３２d’’を剥離紙３２e、３２e’ 、３２e’’のあるものとして説明したが、特にこれに限られるものではなく、剥離紙３２e、３２e’ 、３２e’’を用いない接着剤包含マイクロカプセルや感圧接着剤などとしても良い。
【００９２】
第２実施例および第３実施例のカード送付体本体３’、３’’において、第１の突出部３７ｂ、３７ｂ’は、第１の切り抜き部３７a、３７ａ’の上下から一対形成されているものとして説明したが、特にこれに限られるものではなく、第１の切り抜き部３７a、３７ａ’から内側へ突出するように形成されていれば良い。
【００９３】
第１実施例のカード送付体１において、カード２にはバーコード部２２が形成されており、裏紙部３３の表側にはＱＲコード（登録商標）３３ｆが印刷されているものとして説明したが、特にこれらを形成しなくても良い。
【００９４】
また、第１実施例のカード送付体本体３において、裏紙部３３と第１の中紙部３２は、接着剤等で予め接着されているものとして説明したが、特にこれに限られるものではなく、差出人自身で、送付する際に裏紙部３３と第１の中紙部３２を接着するものとしても良い。
【００９５】
同様に、第２実施例のカード送付体本体３’においても、裏紙部３３と第２の中紙部３７および第２の中紙部３７と第１の中紙部３２’が接着剤等で予め接着されているものとして説明したが、特にこれに限られるものではなく、差出人自身で、裏紙部３３、第２の中紙部３７および第１の中紙部３２’を接着するものとしても良い。
【００９６】
さらに、第３実施例のカード送付体本体３’’において、長方形状のシートを、第１の折目線３４、第２の折目線３５、第３の折目線３６および第４の折目線３８とで、表紙部３１、第１の中紙部３２’’、第２の中紙部３７’および裏紙部３３を形成するものとして説明したが、第５の折目線（不図示）を形成して、第２の中紙部３７’を２枚形成しても良い。同様に、第６の折目線（不図示）、第７の折目線（不図示）を形成し、第２の中紙部３７’を３枚又は４枚としても良い。
【００９７】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００９８】
１、１’、１’’…カード送付体
２…カード
２１…カード側の図柄又は文字（第１の図柄又は文字）    ２２…バーコード部
３、３’、３’’…カード送付体本体
３１…表紙部      ３１a…窓部      ３１ｂ…表紙側の図柄又は文字（第２の図柄又は文字）    ３２、３２’３２’’…第１の中紙部      ３２a、３２a’ 、３２a’’’…収容部      ３２ｂ、３２ｂ’、３２ｂ’’…取出し口装飾部（第４の図柄）      ３２ｃ、３２c’ 、３２c’’…カード側装飾部      ３２ｄ、３２d’ 、３２d’’…接着部      ３２e、３２e’ 、３２e’’…剥離紙    ３３…裏紙部      ３３a…宛名情報記入部      ３３ｂ…差出人情報記入部      ３３ｃ…メッセージ欄      ３３ｄ…裏紙側の図柄（第３の図柄）      ３３e…取出し口      ３３f…ＱＲコード（登録商標）      ３３ｇ…封止部      ３３ｈ…封止部表側の図柄      ３３i…封止部裏側の図柄    ３４…第１の折目線    ３５…第２の折目線    ３６…第３の折目線    ３７、３７’…第２の中紙部      ３７a、３７a’…第１の切り抜き部      ３７ｂ、３７ｂ’…第１突出部（第５の図柄）    ３８…第４の折目線    ３９…第３の中紙部      ３９a…第２の切り抜き部      ３９ｂ…第２の突出部（第６の図柄）
４…カード送付体入り封筒
５…封筒
５１…封筒側宛名情報記入部    ５２…封筒側差出人情報記入部    ５３…封筒側窓部      ５３a…封筒側の図柄（第７の図柄）    ５４…フラップ部    ５４a…折込線
【図１】
2019059062.tif 000003
【図２】
2019059062.tif 000004
【図３】
2019059062.tif 000005
【図４】
2019059062.tif 000006
【図５】
2019059062.tif 000007
【図６】
2019059062.tif 000008
【図７】
2019059062.tif 000009
【図８】
2019059062.tif 000010
【図９】
2019059062.tif 000011
【図１０】
2019059062.tif 000012
【図１１】
2019059062.tif 000013
【図１２】
2019059062.tif 000014
【図１３】
2019059062.tif 000015
【図１４】
2019059062.tif 000016
【図１５】
2019059062.tif 000017
【図１６】
2019059062.tif 000018
【図１７】
2019059062.tif 000019
【図１８】
2019059062.tif 000020
【図１９】
2019059062.tif 000021
【図２０】
2019059062.tif 000022
【図２１】
2019059062.tif 000023
【図２２】
2019059062.tif 000024
【図２３】
2019059062.tif 000025
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
内容を表す第１の図柄又は文字が印刷されたカードと、
前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、
前記裏紙部には、前記窓部に対応する位置に前記第１の図柄又は文字と関係する第３の図柄が印刷されており、前記カードを前記収容部から取外した際に、前記第３の図柄が前記窓部から露出し、
前記裏紙部には、前記収容部に収容された前記カードを取り出す取出し口と、前記取出し口を剥離可能に封止する封止部とが形成されており、
前記第１の中紙部には、前記取出し口と重なる位置に、前記第１の図柄又は文字と関係する第４の図柄が印刷された取出し口装飾部が形成されており、
前記取出し口装飾部は、前記封止部を剥離した際に、前記取出し口から露出することを特徴とするカード送付体。
【請求項２】
前記封止部には、前記第４の図柄と同じ輪郭の図柄が印刷されていることを特徴とする請求項１に記載のカード送付体。
【請求項３】
内容を表す第１の図柄又は文字が印刷されたカードと、
前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、
前記裏紙部には、前記窓部に対応する位置に前記第１の図柄又は文字と関係する第３の図柄が印刷されており、前記カードを前記収容部から取外した際に、前記第３の図柄が前記窓部から露出し、
前記カード送付体は、さらに、前記収容部と対応して切り抜かれた第１の切り抜き部と、前記第１の切り抜き部の内側から突出し、前記第１の図柄又は文字と関係する第５の図柄が印刷された第１の突出部と、が形成されており、前記第１の中紙部と前記裏紙部の間に位置する第２の中紙部を有し、
前記第１の突出部は、前記収容部に収容された前記カードを押圧するとともに、前記窓部から露出することを特徴とするカード送付体。
【手続補正２】
【補正対象書類名】明細書
【補正対象項目名】０００７
【補正方法】変更
【補正の内容】
【０００７】
上記課題を解決するためになされた請求項１に記載の発明は、内容を表す第１の図柄又は文字が印刷されたカードと、前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、前記裏紙部には、前記窓部に対応する位置に前記第１の図柄又は文字と関係する第３の図柄が印刷されており、前記カードを前記収容部から取外した際に、前記第３の図柄が前記窓部から露出し、前記裏紙部には、前記収容部に収容された前記カードを取り出す取出し口と、前記取出し口を剥離可能に封止する封止部とが形成されており、前記第１の中紙部には、前記取出し口と重なる位置に、前記第１の図柄又は文字と関係する第４の図柄が印刷された取出し口装飾部が形成されており、前記取出し口装飾部は、前記封止部を剥離した際に、前記取出し口から露出することを特徴とする。
【手続補正３】
【補正対象書類名】明細書
【補正対象項目名】０００８
【補正方法】変更
【補正の内容】
【０００８】
請求項１に記載の発明によれば、カードを収容部から取外した際に、カードに図示された第１の図柄又は文字と関係する第３の図柄を窓部から露出することで、受取人へ新たな驚きを与え、贈答品としてのインパクトを高くすることができる。また、請求項１に記載の発明によれば、封止部を取出し口から剥離した際に第４の図柄が取出し口から露出することで、受取人にカードへの期待感を増大させるとともに新たな驚きを与えることができる。
【手続補正４】
【補正対象書類名】明細書
【補正対象項目名】０００９
【補正方法】変更
【補正の内容】
【０００９】
請求項２に記載の発明は、請求項１に記載のカード送付体であって、前記封止部には、前記第４の図柄と同じ輪郭の図柄が印刷されていることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
請求項３に記載の発明は、内容を表す第１の図柄又は文字が印刷されたカードと、前記第１の図柄又は文字を露出する窓部を有し、前記第１の図柄又は文字と関係する第２の図柄又は文字が印刷された表紙部と、前記表紙部の裏側に位置し、郵送先を記入する宛名情報記入部が印刷された裏紙部と、前記窓部に対応して切り抜かれており、前記カードを収容する収容部を有し、前記表紙部と前記裏紙部で挟まれるように位置する第１の中紙部と、を有し、長方形状のシートを折り畳んで、少なくとも前記表紙部、前記第１の中紙部および前記裏紙部を形成したカード送付体本体と、を備えるカード送付体であって、前記裏紙部には、前記窓部に対応する位置に前記第１の図柄又は文字と関係する第３の図柄が印刷されており、前記カードを前記収容部から取外した際に、前記第３の図柄が前記窓部から露出し、前記カード送付体は、さらに、前記収容部と対応して切り抜かれた第１の切り抜き部と、前記第１の切り抜き部の内側から突出し、前記第１の図柄又は文字と関係する第５の図柄が印刷された第１の突出部と、が形成されており、前記第１の中紙部と前記裏紙部の間に位置する第２の中紙部を有し、前記第１の突出部は、前記収容部に収容された前記カードを押圧するとともに、前記窓部から露出することを特徴とする。
【手続補正７】
【補正対象書類名】明細書
【補正対象項目名】００２８
【補正方法】変更
【補正の内容】
【００２８】
図６および７で示すように、取出し口３３ｅは、封止部３３ｇで剥離可能に封止されている。この封止部３３ｇの表面および裏面には、取出し口装飾部３２ｂと同じ輪郭の図柄（封止部表側の図柄３３ｈおよび封止部裏側の図柄３３ｉ）が印刷されており、この封止部表側の図柄３３ｈおよび封止部裏側の図柄３３ｉは、互いに異なる模様で印刷されている。
【手続補正８】
【補正対象書類名】明細書
【補正対象項目名】００３５
【補正方法】変更
【補正の内容】
【００３５】
本実施例のカード送付体１は、裏紙側の図柄３３ｄもカード側の図柄又は文字２１と関係し、カード側の図柄又は文字２１と異なる図柄とすることで、収容部３２ａからカード２を抜き取った際に、今までとは異なる裏紙側の図柄３３ｄが窓部３１ａから露出し、受取人へ新たな驚きを与え、受取人へ贈答品としてのインパクトを与えることができる。